(57)【要約】【課題】掃除機本体が壁等に当たったときに、その衝撃を確実に緩衝できるように中空のバンパーを取り付けた電気掃除機を提供することを目的とする。【解決手段】掃除機本体１の外郭を形成する下カバー体２に設けられた外側からみて凹部１３形状からなるバンパー装着部と内部に空間部を有するバンパー１４を備え、前記バンパー１４を前記バンパー装着部に挿入して取り付けたもので、バンパーが中空状で、かつ空気を密閉した状態を構成しているため、掃除機本体１が壁等に当たったときも確実にバンパー１４の空気層で確実に衝撃を吸収することができる。【選択図】　図３
2004057447.tif 000002
【特許請求の範囲】
【請求項１】
吸引風を発生させる電動送風機を内蔵した掃除機本体の外郭を形成する部品に設けられた外側からみて凹部形状からなるバンパー装着部と内部に空間部を有するバンパーを備え、前記バンパーを前記バンパー装着部に挿入して取り付けた電気掃除機。
【請求項２】
吸引風を発生させる電動送風機を内蔵した掃除機本体の外郭を形成する部品に設けた切り欠き部からなるバンパー装着部と内部に空間部を有するバンパーを備え、前記バンパーを前記バンパー装着部に係合させて取り付けた電気掃除機。
【請求項３】
バンパーのバンパー装着部への装着は、前記バンパーとバンパー装着部の当接部のどちらか一方側に設けた凹部に、前記バンパーとバンパー装着部の当接部のどちらか一方側に設けた凸部を挿入することで行われる請求項１または２記載の電気掃除機。
【請求項４】
バンパーの表面に、内部に空間部と連通する穴部を設けた請求項１〜３のいずれか１項に記載の電気掃除機。
【請求項５】
バンパーがバンパー装着部に対向する周面に、リップを設けた請求項１〜４のいずれか１項に記載の電気掃除機。
【請求項６】
吸引した塵埃を集塵する集塵室を掃除機本体内に設け、バンパーの少なくとも一部を前記集塵室を連通させるとともに、前記バンパーを透明な材質で成形した請求項１〜５のいずれか１項に記載の電気掃除機。
【請求項７】
バンパーを掃除機本体の側方に設けた請求項１〜６のいずれか１項に記載の電気掃除機。
【請求項８】
バンパーを掃除機本体の前方に設けた請求項１〜６のいずれか１項に記載の電気掃除機。
【請求項９】
吸引した塵埃を集塵する集塵室を掃除機本体内に設け、前記集塵室上方開口部分を覆い、かつ回動自在に取り付けられた蓋体の外周縁部分に沿って、バンパーを設けた請求項１〜８のいずれか１項に記載の電気掃除機。
【発明の詳細な説明】
【０００１】
【発明の属する技術分野】
本発明は、電気掃除機の本体が壁等に当たった時に、より衝撃を吸収できるバンパーに関するものである。
【０００２】
【従来の技術】
従来の電気掃除機の構成を、図１２、図１３を用いて説明する。
【０００３】
図に示すように、塵埃を集塵する集塵室１０２と吸引風を発生する電動送風機（図示せず）を内蔵し、前記集塵室１０２は前記掃除機本体１０１の外郭を構成する下カバー体１０３の一部で上方を開口して形成し、その上方開口部を回動自在に掃除機本体１０１に軸支された蓋体１０４によって覆われており、前記蓋体１０４と下カバー体１０３との間にタイトのためのパッキン１０５を配し、前記蓋体１０４、下カバー体１０３及びパッキン１０５とにより密閉された集塵室１０２を形成している。前記集塵室１０４の左右部分にはバンパー１０６を設けており、前記バンパー１０６は図のように断面が略コの字状の形状で、かつ前記タイト用のパッキン１０４と一体に成形されており、また、下カバー体１０３に設けた略Ｌ字状のリブ１０７に前記バンパー１０６の一部を引っ掛けて保持構成している。
【０００４】
【発明が解決しようとする課題】
しかしながら、上記従来の構成では、バンパー１０６の厚みを増加させないと耐衝撃吸収性が弱いため、バンパー１０６の内部に空間部を形成することが望ましいのだが、バンパー１０６は断面が略コの字形状になっていて、下カバー体１０３に設けた略Ｌ字状のリブ１０７にバンパー１０６の一部を引っ掛けて保持構成しているために、壁等に当たったときの衝撃によって、バンパー１０６の引っ掛け部分がはずれ方向に移動してしまうため、バンパー１０６が略Ｌ字状のリブ１０７からはずれてしまったり、また、はずれる前に切れてしまう危険性があった。
【０００５】
本発明は上記課題を解決するものであり、掃除機本体が壁等に当たったときに、その衝撃を確実に緩衝できるようなバンパーを取り付けた電気掃除機を提供することを目的としている。
【０００６】
【課題を解決するための手段】
上記目的を達成するために本発明は、吸引風を発生させる電動送風機を内蔵した掃除機本体の外郭を形成する部品に設けられた外側からみて凹部形状からなるバンパー装着部と内部に空間部を有するバンパーを備え、前記バンパーを前記バンパー装着部に挿入して取り付けたもので、バンパーが中空状で、かつ空気を密閉した状態を構成しているため、掃除機本体が壁等に当たったときも確実にバンパーの空気層で確実に衝撃を吸収することができる。
【０００７】
【発明の実施の形態】
本発明の請求項１記載の発明は、吸引風を発生させる電動送風機を内蔵した掃除機本体の外郭を形成する部品に設けられた外側からみて凹部形状からなるバンパー装着部と内部に空間部を有するバンパーを備え、前記バンパーを前記バンパー装着部に挿入して取り付けたもので、バンパーが中空状で、かつ空気を密閉した状態を構成しているため、掃除機本体が壁等に当たったときも確実にバンパーの空気層で確実に衝撃を吸収することができる。
【０００８】
本発明の請求項２記載の発明は、吸引風を発生させる電動送風機を内蔵した掃除機本体の外郭を形成する部品に設けた切り欠き部からなるバンパー装着部と内部に空間部を有するバンパーを備え、前記バンパーを前記バンパー装着部に係合させて取り付けたもので、それにより、バンパー部分の掃除機本体からの飛び出し量が幾らか減少し、小型化を図ることができる。
【０００９】
本発明の請求項３記載の発明は、バンパーのバンパー装着部への装着は、前記バンパーとバンパー装着部の当接部のどちらか一方側に設けた凹部に、前記バンパーとバンパー装着部の当接部のどちらか一方側に設けた凸部を挿入することで行われるもので、バンパーのバンパー装着部への装着が確実に行えるものである。
【００１０】
本発明の請求項４記載の発明は、バンパーの表面に、内部に空間部と連通する穴部を設けたもので、それにより、バンパーの反発性は中空内の空気が外気と出入りするためにバンパーの材質における弾性力によって決まるために、バンパーの信頼性を向上させることができる。
【００１１】
本発明の請求項５記載の発明は、バンパーがバンパー装着部に対向する周面に、リップを設けたもので、それにより、掃除機本体が壁等に当たったときにおいても、その衝撃をより確実に緩衝できる。
【００１２】
本発明の請求項６記載の発明は、吸引した塵埃を集塵する集塵室を掃除機本体内に設け、バンパーの少なくとも一部を前記集塵室を連通させるとともに、前記バンパーを透明な材質で成形したもので、それにより、バンパーにクッション機能を持たせると同時に、集塵室の内部が見えるようになるため、中の集塵具合を確認することができ、使用性が向上する。
【００１３】
本発明の請求項８記載の発明は、バンパーを掃除機本体の前方に設けたもので、それにより、掃除中の部屋の移動の際に戸口の壁で掃除機本体が当たったときの衝撃を吸収することができ、掃除中の本体の移動によって壁への衝突に対し、壁等のキズ付きを確実になくすことができる。
【００１４】
本発明の請求項９記載の発明は、吸引した塵埃を集塵する集塵室を掃除機本体内に設け、前記集塵室上方開口部分を覆い、かつ回動自在に取り付けられた蓋体の外周縁部分に沿って、バンパーを設けたもので、それにより、通常、左右に設けたバンパーが一体になり、部品点数が減少し、組み立て性が向上する。また、蓋体に設けたことで、掃除機本体の上方斜め部分にクッション機能を持つことになるため、特に低い足のテーブルなどの家具に対してもキズ付け等を防ぐことことができる。
【００１５】
【実施例】
（実施例１）
以下、本発明の第１の実施例を図１〜図３を用いて説明する。
【００１６】
図１、図２において、掃除機本体１は、外郭を形成する上方開口した下カバー２の前方に集塵を集塵する紙袋３を収納する集塵室４と、後方には吸引風を発生する電動送風機５を収納する電動送風機室６を設けており、電動送風機室６の上方を上カバー７によって覆われ、電動送風機５はクッション８を介して下カバー２と上カバー７とで狭持している。集塵室４の上方は、上カバー７に軸支して開閉自在に回動する蓋体９によって覆われており、また、集塵室を仕切る仕切壁１０を下カバー２及び蓋体９に相対するように設けており、この仕切壁同士の間にパッキン１１を介して空気のタイトを行い気密性を確保している。集塵室４と電動送風機室６とは仕切壁１０によって仕切っており、仕切壁１０に設けた連通口１２を設けて、集塵室４と空気が連通するようにしている。
【００１７】
図３のように、掃除機本体１の側方にあたる集塵室４の左右の下カバー体２の部分には、外側にリブ１３ａを突出させて凹部１３からなるバンパー装着部を形成しており、この凹部１３にバンパー１４を収め、バンパー１４に係合爪部なる凸部１５を、前記凹部１３のリブ１３ａに被係合部なる穴部１６（凹部）を設け、それらを係合させることでバンパー１４は保持されるように構成している。なお、本実施例においては、バンパー１４に凸部１５を、前記凹部１３のリブ１３ａに穴部１６（凹部）を設けたが、逆でもよい。ここで、バンパー１４であるが、バンパー１４は中空で、かつ周囲は完全に密閉された状態であり、内部の中空部には空気が満たされている状態である。また、下カバー体２に設けた凹部１３の上下の壁は、図のようにバンパー１４の中心、もしくはバンパー１４の高さ方向において長辺となるポイントよりもいくらかオーバーさせて保持している。
【００１８】
上記構成によって、バンパー１４が中空状で、かつ空気を密閉した状態を構成しているため、掃除機本体１が壁等に当たったときも、バンパー１４の空気層、及びバンパー１４の材質による弾性力によってソフトに衝撃を吸収することができる。
【００１９】
また、上記バンパー１４の保持構成によって、バンパー１４は上下方向への変形が抑えられるために、反発力がＵＰし、掃除機本体１の壁等への衝撃が強い場合もバンパー１４の部分が変形して外郭部品に当たるといったことはない。
【００２０】
（実施例２）
以下、本発明の第２の実施例を図４〜図７を用いて説明する。先述の構成と同一の構成については説明は省略する。
【００２１】
図４において、集塵室４を構成する下カバー体２において、集塵室４部分の壁に切り欠き穴１７を設けており、内部が中空で、かつ透明な材料で成形したバンパー１４にはこの切り欠き部１７にはめ込むように、バンパー１４外周に凹部１８となる溝を形成し、切り欠き部１７の端面とバンパー１４の凹部１８をはめあわせてバンパー１４を保持している。また、この凹部１８には、バンパー１４の対向面にあたる底面部分、及び集塵室４側からみて外側となる縦壁面にリップ１９を、図５に示す向きで形成している。なお、本実施例においては、バンパー１４外周に凹部１８となる溝を形成し、切り欠き部１７の端面とバンパー１４の凹部１８をはめあわせてバンパー１４を保持しているが、バンパー１４外周に凸部を形成し、切り欠き部１７の端面に凹部を形成して、バンパー１４をはめあわせて保持してもよい。
【００２２】
上記構成によって、本体１外郭の外側にバンパー１４取付部を設けた場合に比べ、バンパー１４は掃除機本体１の外郭面で保持させるため、その分、バンパー１４取り付け部分の掃除機本体１からの飛び出し量が減り、掃除機本体１の小型化を図ることができる。また、バンパー１４を透明部材で形成しているために、集塵室４の内部を確認することができ、集塵室４内の塵埃の入り具合等が見ることができるため、使用性を向上させることができる。
【００２３】
次に、バンパー１４と切り欠き部１７との間に設けたリップ１９においては、集塵室４内が吸引によって密閉状態になったとき、及びバンパー１４が壁等に当たったときなど、掃除機の通常の仕様状態においては、バンパー１４は集塵室４側に向かって変形、移動するため、その方向に対し、図５のようにリップ１９の傾斜方向を形成することで、エアータイトを確実に行うことができる。さらに、掃除機本体１が壁等に当たったときにおいても、その衝撃をより前記リップ１９にて確実に緩衝できる。ここで、中空バンパー１４と下カバー体２とを一体に成形すれば、エアータイト性は確実に行なうことができるが、金型の構成が複雑になるため、上記構成で容易にエアータイト性を確保すると同時に、また組立性においても支障をきたすことはない。
【００２４】
また、図６、図７は、中空バンパー１４の外郭側面にバンパー１４の中空部に連通する複数個の穴２０を設けたものである。
【００２５】
上記構成によって、完全密閉した中空のバンパーで１４は、バンパー１４の材質と内部の空気とによりクッション性を確保しているが、この場合、バンパー１４にわずかな亀裂が生じた場合、変形したバンパー１４の復帰は遅くなってしまうが、バンパー１４に穴２０を設けたことで、穴２０よりバンパー１４中空内部との空気の出入りがあるために復帰性がよくなり、信頼性が向上する。
【００２６】
（実施例３）
以下、本発明の第３の実施例を図８〜図１１を用いて説明する。先述の構成と同一の構成については説明は省略する。
【００２７】
図８、図９において、掃除機本体１の前面には、吸引口２２、及びホース接続部２３を取付け部を構成する前部カバー体２４を設けており、吸引口２２の左右に凹部２５を設け、この部分に中空状のバンパー前２６を収めて、バンパー前２６、及び前部カバー体２４に設けた係合爪部２７、被係合部２８とを係合させて保持している。
【００２８】
上記構成によって、掃除中、部屋から部屋への移動の際に、戸口の壁で掃除機本体が引っかかった場合においても、このバンパー前２６によってその衝撃を吸収することができるため、掃除機を前方を引っぱっても、壁等にキズを付けるといった不安が解消され、使用性を向上させることができる。
【００２９】
また、図１０、図１１に示すように、集塵室４の上方開口部分を覆う、回動自在に軸支された蓋体９の外周縁部分に沿って左側面から、前面、右側面と一体に成形した中空のバンパー２９を取付けることにより、一部品で下カバー体２、及び前カバー体２４に設けたバンパー２９を兼ねるために、部品点数を削減することができると同時に、特に、バンパー２９を蓋体９に設けたことで、掃除機本体はその外周で一番張り出した部分から上方斜め部分に至る間にクッション機能を持つことになるため、足の低いテーブルなどの下に掃除機本体１が入り込んだ場合等、家具に対してもキズ付け等を防ぐことことができる。
【００３０】
【発明の効果】
以上のように本発明によれば、掃除機本体が壁等に当たったときに、その衝撃を確実に緩衝できるようなバンパーを取り付けた電気掃除機を提供できる。
【図面の簡単な説明】
【図１】本発明の実施例１を示す掃除機本体の斜視図
【図２】同掃除機本体の断面図
【図３】同バンパー取付部の部分断面図
【図４】本発明の実施例２を示すバンパー取付部の部分断面図
【図５】同バンパー取付部の部分拡大断面図
【図６】同掃除機本体の斜視図
【図７】同他のバンパー取付部の部分拡大断面図
【図８】本発明の実施例３を示す掃除機本体の前面図
【図９】同バンパー取付部の部分断面図
【図１０】同他の掃除機本体の前面図
【図１１】同他のバンパー取付部の部分拡大断面図
【図１２】従来の掃除機本体の平面図
【図１３】同バンパー取付部の部分断面図
【符号の説明】
２　下カバー体
４　集塵室
５　電動送風機
６　電動送風機室
９　蓋体
１３　凹部
１４　バンパー
１７　切り欠き穴
１８　凹部
１９　リップ
２０　穴
２２　吸気口
【図１】
2004057447.tif 000003
【図２】
2004057447.tif 000004
【図３】
2004057447.tif 000005
【図４】
2004057447.tif 000006
【図５】
2004057447.tif 000007
【図６】
2004057447.tif 000008
【図７】
2004057447.tif 000009
【図８】
2004057447.tif 000010
【図９】
2004057447.tif 000011
【図１０】
2004057447.tif 000012
【図１１】
2004057447.tif 000013
【図１２】
2004057447.tif 000014
【図１３】
2004057447.tif 000015